(57)【要約】【課題】撮像機器の温度上昇を防ぐため、録画時間を短縮したり画質を落としたりすると、使用者が撮りたい映像を撮りきれなかったり、撮影の機会を失ってしまうという課題があった。また、温度を下げるために集音マイクの近傍でファンを回すと、その音が録音されてしまうため品位に欠けるという課題があった。【解決手段】制御回路内のいずれかの温度を検知する温度検知手段を備え、ストロボ発光部が収納状態と発光可能状態との間で回転および停止可能な発光装置と、該発光装置内の発光部近傍に、風量を調節可能なファンとを備えた撮像装置において、該発光部が収納状態と発光可能状態との間の任意の位置で停止可能に構成され、本体内の温度が上がったときにだけポップアップする位置がありファンを回して温度を下げる。ファンの風のあたる外観部品（フロントカバー）の内側にヒ−トシンクに風が効率よくあたるようにフィンを設ける。【選択図】図３
2020008695.tif 000002
【特許請求の範囲】
【請求項１】
発光時と収納時との間で回動可能に撮像装置本体に保持された閃光発光装置を備えた撮像装置において、
該発光時および収納時の位置とは異なる位置で停止可能な発光装置を備えた撮像装置。
【請求項２】
発光部近傍にファンを備え、前記発光部を収納する収納部の底面部に、熱源からの熱を伝える放熱板金を突出せしめ、前記発光時および収納時の位置とは異なる位置でファンを回転させ放熱板金に風をあてることを特徴とする請求項１に記載の撮像装置。
【請求項３】
前記発光部収納部内壁から前記放熱板金裏面まで延伸するフィンを設け、かつ、フィンの間に外部に貫通する穴を設けたことを特徴とする請求項１又は請求項２に記載の撮像装置。
【発明の詳細な説明】
【技術分野】
【０００１】
本発明は、撮像装置の制御部の熱を拡散させ、回路温度の上昇による熱暴走や緊急停止を防ぎ、動画撮影時間を延長させる撮像装置に関する。
【背景技術】
【０００２】
近年の撮像装置は、高画質の動画撮影が可能となる半面、高速画像処理による素子の発熱量が非常に多くなってきている。撮像装置の使用者が触れる部分では、低温火傷やあわてて手を離してしまうことによる怪我や撮像装置の破損等が懸念される。それ故、近年の撮像装置では、一定の温度になった場合には録画動作を中止または警告表示をすることが多い。
【先行技術文献】
【特許文献】
【０００３】
【特許文献１】特開２００２−２８７２２１号公報
【発明の概要】
【発明が解決しようとする課題】
【０００４】
然しながら、撮像機器の温度上昇を防ぐため、録画時間を短縮したり画質を落としたりすると、使用者が撮りたい映像を撮りきれなかったり、撮影の機会を失ってしまうという課題があった。
【０００５】
また、温度を下げるために集音マイクの近傍でファンを回すと、その音が録音されてしまうため品位に欠けるという課題があった。
【課題を解決するための手段】
【０００６】
上記の課題を解決するために、本発明に係る撮像装置は、
制御回路内のいずれかの温度を検知する温度検知手段を備え、ストロボ発光部が収納状態と発光可能状態との間で回転および停止可能な発光装置と、該発光装置内の発光部近傍に、風量を調節可能なファンとを備えた撮像装置において、
該発光部が収納状態と発光可能状態との間の任意の位置で停止可能に構成され、本体内の温度が上がったときにだけポップアップする位置がありファンを回して温度を下げる。ファンの風のあたる外観部品（フロントカバー）の内側にヒ−トシンクに風が効率よくあたるようにフィンを設けることを特徴とする。
【発明の効果】
【０００７】
本発明に係る撮像装置によれば、動画撮影中でも音を拾いにくい位置でファンを回し温度を下げることができる。また、高温になる放熱板金を触り難い場所に配置することが可能となる。
【図面の簡単な説明】
【０００８】
【図１】本発明の実施例に係るカメラの斜視図
【図２】本発明の実施例に係るカメラの発光手段のポップアップ状態の斜視図
【図３】本発明の実施例に係るカメラの発光手段ポップアップ状態と、収納状態との間で、放熱ファンを稼働している状態の斜視図
【図４】本発明の実施例に係るカメラの図２のａ部拡大図
【図５】本発明の実施例に係るカメラの図３のｂ−ｂ断面図
【発明を実施するための形態】
【０００９】
以下、本発明を実施するための形態について、図面を参照しながら説明する。
【実施例１】
【００１０】
図１から図５は、本発明の実施例を表す図であり、各々の図面で同じ番号を付記したものは同じ部材を表している。
【００１１】
図１は本発明の実施例に係るカメラの外観斜視図である。図２は本発明の実施例に係るカメラの発光手段のポップアップ状態の外観斜視図である。図３は本発明の実施例に係るカメラの発光手段のポップアップ状態と収納状態との間で、放熱ファンを稼働している状態の斜視図である。図４は本発明の実施例に係るカメラの図２のａ部拡大図である。図５は本発明の実施例に係るカメラの図３のｂ−ｂ断面図である。
【００１２】
１は撮像装置であるところのカメラである。１１は放熱板金であるところのアルミ板である。１２はカメラの外観を形成するカバ−であるフロントカバーであり、溝１２ａと外部への貫通穴１２ｂとを備える。１３は送風を行うための公知のファンである。１４は制御基板である。１５はストロボ発光部である。
【００１３】
ストロボ発光部を搭載したストロボユニットは、図１の収納状態から図２の発光状態まで不図示の回転軸を中心に回動可能に撮像装置１に保持されている。また、図１の状態から図２の状態の間にある一定の位置の図３の位置でも停止することが可能となっている。
【００１４】
該ストロボユニットの回動には、公知の不図示の動力源となるモ−タおよび歯車を介した減速機構によるもので、不図示の停止位置検出手段からの信号によりモ−タを駆動制御する所謂フィードバック制御で停止させる。また、ストロボユニットを不勢手段により発光位置方向または周の位置方向に付勢させ、公知の緊定手段により係止させておき、制御回路からの信号により該緊定手段を解除させても本発明の実施態様に変更はない。
【００１５】
放熱板金１１は、図５に示すように撮像装置１内では制御基板に接触し、前記ストロボ発光部が発光状態側へ回動したときに外部へ露出する位置に保持されている。ファン１３は、制御回路１４からの信号によりそのスイッチのオンおよびオフと回転数が制御される。
【００１６】
フロントカバー１２の内側には、溝１２ａが少なくとも１本形成されている。更に溝の最深部には少なくとも１つの貫通穴１２ｂが形成されている。該溝は、フロントカバー１２の内部側壁から内部底面部まで形成されており、前記放熱板金１１の裏面まで延伸している。貫通穴１２ｂは、前記放熱板の裏面あたりで撮像装置１の外部に貫通できる位置に形成されている。
【００１７】
前記ファン１３により風が送られると、前記放熱板金１１に直接あたる風により放熱板金１１の温度が下げられ、かつフロントカバー１２の内壁立ち上がり部に当たる風は、前記溝１２ａにより放熱板金１１の裏面側に送られ、前記貫通穴１２ｂから外部へと抜ける。前記溝１２ａは所謂フィンと同様の効果により対流を助長し、効率よく放熱板金の熱を逃がすことができる。
【００１８】
前記ストロボ発光部の位置が中間停止位置、図３の位置で停止した状態がファンからの風が前記放熱板に最も効率よく当たるように、ファン１３が設置されている。
【００１９】
撮像装置の使用者が、スイッチをＯＮにし不図示の動画撮影モ−ドを選択し動画撮影を開始してから一定時間経過すると、制御基板１４上の不図示の発熱素子の熱が上昇し始める。制御基板に搭載された不図示の熱センサにより温度が測定され、所定の温度を超えた場合に、制御基板上１４の制御回路からの出力命令により、ストロボ発光部の位置は図１の位置から図３の位置へ遷移し、ファン１３が回転し始める。
【００２０】
ファン１３は図１の状態でも回転させることができる。この場合対流は少ないもののファンの音が外部に漏れるのを防ぐことができる。従って温度上昇がそれほど激しくない場合にはこの状態のまま使用することができる。
【００２１】
上記構成とすることにより、温度を下げるためのファンをストロボ発光部近傍に配置して、集音マイクを本体側に配置すれば、音源とマイクの位置を離すことができ、長時間の動画撮影で撮像機器本体の温度が上昇しても、ファンを回転させることができ、安定的に撮影を継続することができる。また、ファンからの風が放熱板金に対して効率よい角度で配置することができので短時間で温度を下げることが可能となる。
【符号の説明】
【００２２】
１１  放熱板金、１２  フロントカバー、１２ａ  溝、１２ｂ  貫通穴、
１３  ファン、１４  制御基板、１５  ストロボ発光部
【図１】
2020008695.tif 000003
【図２】
2020008695.tif 000004
【図３】
2020008695.tif 000005
【図４】
2020008695.tif 000006
【図５】
2020008695.tif 000007